(57)【要約】【課題】大量のデータを読み書きでき、記憶装置を着脱し易く、かつコストが安い表示装置を提供する。【解決手段】後面側に第１開口部３５が形成された略箱状の本体３４と、前記本体３４の前面側に配置された液晶表示部１２と、前記本体３４内に配置され、前記液晶表示部１２に画像信号を出力する基板組み立て品９と、前記基板組み立て品９を覆うシールド板４２と、前記シールド板４２に固定され、データを読み書きするハードディスクドライバ１７とを備え、前記ハードディスクドライバ１７は前記第１開口部３５を介して、着脱自在に設けられた。【選択図】        図４
2004326013.tif 000002
【特許請求の範囲】
【請求項１】
後面側に第１開口部が形成された略箱状の本体と、前記本体の前面側に配置された液晶表示部と、前記本体内に配置され、前記液晶表示部に画像信号を出力する基板組み立て品と、前記基板組み立て品を覆うシールド板と前記シールド板に固定され、データを読み書きするハードディスクドライバとを備え、前記ハードディスクドライバは前記第１開口部を介して、着脱自在に設けられた事を特徴とする表示装置。
【請求項２】
前記第１開口部を覆うカバーを設け、前記カバーは前記本体に対し、着脱自在に設けられた事を特徴とする請求項１の表示装置。
【請求項３】
前記本体の相対する内面に当接する補強板を設け、前記補強板に支持された取り付け板を設け、前記基板組み立て品を構成する回路基板は、前記取り付け板により支持された事を特徴とする請求項１の表示装置。
【請求項４】
前記ハードディスクドライバの下方に位置する様に、前記シールド板に第２開口部を設け、前記第２開口部の下方に位置する様に、前記回路基板にメモリを固定し、前記メモリは着脱自在に設けられた事を特徴とする請求項３の表示装置。
【発明の詳細な説明】
【０００１】
【発明の属する技術分野】
本発明は表示装置に関する。
【０００２】
【従来の技術】
従来、この種の表示装置は例えば、特許文献１に示されている。この特許文献１によると、電源手段１００と、画像駆動部２００と、信号処理部３００等を有する表示装置が示されている。
【０００３】
【特許文献１】
特開２００２−２８７１０９号公報
【０００４】
【発明が解決しようとする課題】
しかし、上記装置では、記憶手段を持っていないので、大量のデータを読み書きできない第１の欠点がある。この欠点を解消するために、本発明者は、本体の中にハードディスクドライバを設けた。しかし、ハードディスクドライバを取り外すためには、本体の後板を固定しているボルトを、約３０個、外さなければならなく、作業が煩わしい、第２の欠点がある。
【０００５】
更に、本発明者は、ハードディスクドライバを取り付けるための、専用の取り付け台を設けたため、コスト高になる、第３の欠点がある。そこで、本発明はこの様な従来の欠点を考慮して、大量のデータを読み書きでき、記憶装置を着脱し易く、かつ、コストが安い表示装置を提供する。
【０００６】
【課題を解決するための手段】
上記課題を解決するために、請求項１の本発明では、後面側に第１開口部が形成された略箱状の本体と、前記本体の前面側に配置された液晶表示部と、前記本体内に配置され、前記液晶表示部に画像信号を出力する基板組み立て品と、前記基板組み立て品を覆うシールド板と前記シールド板に固定され、データを読み書きするハードディスクドライバとを備え、前記ハードディスクドライバは前記第１開口部を介して、着脱自在に設けられた。
【０００７】
請求項２の本発明では、前記第１開口部を覆うカバーを設け、前記カバーは前記本体に対し、着脱自在に設けられた。
【０００８】
請求項３の本発明では、前記本体の相対する内面に当接する補強板を設け、前記補強板に支持された取り付け板を設け、前記基板組み立て品を構成する回路基板は、前記取り付け板により支持された。
【０００９】
請求項４の本発明では、前記ハードディスクドライバの下方に位置する様に、前記シールド板に第２開口部を設け、前記第２開口部の下方に位置する様に、前記回路基板にメモリを固定し、前記メモリは着脱自在に設けられた。
【００１０】
【発明の実施の形態】
最初に、図１の電気ブロック図に従い、本発明の実施の形態に係る表示装置１の電気的構成を説明する。図１において、端子２は外部からの信号を受け付ける部品であり、例えばＵＳＢコネクタや、ＲＪ４５コネクタや、ＲＳ２３２Ｃコネクタ等からなる。端子２は例えば、ＬＡＮ回線（図示せず）の１端に接続され、ＬＡＮ回線の他端は、サーバ（図示せず）を介して、インターネットに接続されている。
【００１１】
信号処理部３は例えば、ＣＰＵと、通信インターフェースと、入力部と、信号変換部等からなる。入力部に所定の入力がなされると、ＣＰＵは、インターネットに接続されたプロバイダーサーバ（図示せず）に対し、所定の画像情報（例えば、広告情報）を要求する。
【００１２】
上記画像情報は、インターネットとサーバとＬＡＮ回線と端子２を介し、信号処理部３へ入力される。信号処理部３は、入力された画像情報を、液晶パネル（後述）の画像サイズ（例えば２９インチ）に従う画像データ（Ｒ，Ｇ，Ｂのディジタル値）に変換し、伝送器５に対し、上記データを出力する。
【００１３】
伝送器５は、入力された画像データを、画像信号、即ち、低レベル差動伝送信号ＬＶＤＳ（Ｌｏｗ  Ｖｏｌｔａｇｅ  Ｄｉｆｆｅｒｅｎｔｉａｌ  Ｓｉｇｎａｌ）に変換し、駆動部６に対し、上記画像信号を出力する。
【００１４】
ＤＣ−ＤＣコンバータ７は、直流電圧（例えば、１４Ｖ）が入力されると、所定の各直流電圧（例えば、１２Ｖと５Ｖと３．３Ｖ）を出力する部品である。この様にして、ＤＣ−ＤＣコンバータ７は、信号処理部３と、伝送器５と、駆動部６に対し、各々、所定電圧を出力する。ＲＡＭ３ａは、信号処理部３に接続されている。
【００１５】
上記端子２と、信号処理部３と、伝送器５と、ＤＣ−ＤＣコンバータ７と、ＲＡＭ３ａは、回路基板８に設けられた各配線パターン上に、半田等を介して固着されている。これらの端子２と、信号処理部３と、伝送器５と、ＤＣ−ＤＣコンバータ７と、ＲＡＭ３ａと、回路基板８等により、基板組み立て品９は構成されている。
【００１６】
液晶パネル４は例えば、２枚のガラス板の中に液晶を封入したものからなる。下ガラス板の表面上に、複数のソース電極と、複数のゲート電極が行列状に形成され、各画素毎に、各ＴＦＴが形成されている。
【００１７】
駆動部６は、例えば、ソードライバと、ゲートダライバ等からなる。ソースドライバは、上記複数のソース電極に接続されている。ゲートドライバは、上記複数のゲート電極に接続されている。この様に、駆動部６は、液晶パネル４に設けられた各ソース電極および各ゲート電極を駆動するものである。
【００１８】
バックライト１０は液晶パネル４を照光するものである。インバータ１１はバックライト１０を駆動するものである。これらの液晶パネル４と、駆動部６と、バックライト１０と、インバータ１１等により、液晶表示部１２は構成されている。
【００１９】
この様に、基板組み立て品９は液晶表示部１２に対し、画像信号ＬＶＤＳを出力する。
【００２０】
プラグ１３の出力側は、コネクタ基板１４を介して、第１電源部１５と、第２電源部１６に接続されている。第１電源部１５および第２電源部１６は共に、トランスや整流回路などからなり、所定の電圧を持つ直流電圧を供給するものである。
【００２１】
即ち、第１電源部１５は液晶表示部１２のバックライト１０に対し、所定の電源を供給する。第２電源部１６は、ＤＣ−ＤＣコンバータ７を介して、液晶表示部１２の駆動部６に対し、所定の電源を供給する。
【００２２】
ハードディスクドライバ１７は、データを読み書きできるものであり、記憶容量は大きい。ハードディスクドライバ１７は信号処理部３に接続されている。
【００２３】
メモリ１８は例えば、フラッシュメモリであり、信号処理部３に接続されている。以上の部品により、この表示装置１の電気的構成はなされている。
【００２４】
次に、図２ないし図４に従い、この表示装置１の機械的構成を説明する。図２は、表示装置１の分解斜視図、図３は後板を外した時の、表示装置１の斜視図、図４は図２のＡ１−Ａ２断面図である。
【００２５】
これらの図において、フレーム１９は例えばステンレス板からなり、平面から見れば、略枠状に形成され、表面側および裏面側が開放された形状に形成されている。フレーム１９の後面側Ｃの適所に、複数の折り曲げ部が形成されている。
【００２６】
補強板２０，２１，２２は共に例えば、アルミニュウムの押し出し材からなり、平面から見れば、略直方体状に形成されている。
【００２７】
補強板２０，２１，２２の各々の１端面は、フレーム１９の内面に当接している。補強板２０，２１，２２の各々の他の端面も、フレーム１９の内面に当接している。この様にして、補強板２０，２１，２２は、フレーム１９の相対する内面に当接し、ボルト等により固定されている。
【００２８】
冷却ファン２３は例えば、ファンと、ファンケーシングと、モータ等により構成されている。冷却ファン２３の左端はボルトにより、補強板２０に固定されている。
【００２９】
冷却ファン２４は例えば、ファンと、ファンケーシングと、モータ等により構成されている。冷却ファン２４の右端はボルトにより、補強板２１に固定されている。
【００３０】
取り付け板２５は例えば金属板等からなり、左端は固定板２６を介して、補強板２０に固定され、右端は固定板２７を介して、補強板２１に固定されている。この様にして、取り付け板２５は、補強板２０，２１に支持されている。
【００３１】
第２電源部１６は固定板２８に取り付けられている。第１電源部１５は、固定板２９に取り付けられている。
【００３２】
液晶表示部１２は例えば、２９インチの液晶パネル４と、複数のバックライト１０等から構成され、外形は略直方体である。液晶表示部１２は、ボルト等により、フレーム１９の内面に固定されている。液晶表示部１２の前面側Ｂに、パッキンを介して、透明板３０が配置されている。
【００３３】
ケーシング３１は例えば金属板等からなり、有底の箱状に形成されている。ケーシング３１の前面側Ｂには、開口部３２が形成されている。上記開口部３２を介して、透明板３０および液晶表示部１２が、使用者に対し、正面から見える様に構成されている。
【００３４】
ケーシング３１の側面には、孔が形成され、ボルトはこの孔を貫通し、フレーム１９に設けられ、ネジ切された孔に固定されている。ケーシング３１は、フレーム１９および液晶表示部１２を覆うように設けられている。
【００３５】
後板３３は例えば金属板等からなり、フレーム１９の後面側Ｃを覆うように形成されている。ボルト（図示せず）は、後板３３に形成された孔を貫通し、フレーム１９の折り曲げ部に位置する孔に固定されている。
【００３６】
この様に、後板３３は、ケーシング３１の開放された後面側Ｃに固定されている。これらのフレーム１９と、後板３３と、ケーシング３１などにより、本体３４は構成されている。
【００３７】
上述した様に、液晶表示部１２は、本体３４の前面側Ｂに配置され、基板組み立て品９は本体３４内に配置されている。
【００３８】
次に、図１ないし図４に従い、この表示装置１の特徴を説明する。これらの図において、後板３３の適所には、第１開口部３５が形成されている。
【００３９】
本体３４は、フレーム１９と、ケーシング３１と、後板３３とにより構成されている。そして、ケーシング３１の前面側Ｂには、開口部３２が形成されている。即ち、本体３４は、後面側Ｃに第１開口部３５が形成され、略箱状のものである。
【００４０】
後板３３の第１開口部３５の周辺には、フランジ３６，３７，３８が形成されている。カバー３９は例えば金属板からなり、段付きの形状をしている。カバー３９の段付き部（先端近傍のこと）は、後板３３の内面に当接し、カバー３９はフランジ３６，３７，３８の上に載置される。２個のボルト（図示せず）は、カバー３９に形成された孔を貫通し、フランジ３８に形成された孔に固定されている。
【００４１】
すなわち、後板３３の第１開口部３５を覆うカバー３９が設けられている。カバー３９は本体３４に対し、着脱自在に設けられている。
【００４２】
本体３４の相対する内面（詳細には、フレーム１９の相対する内面）に当接する様に、補強板２０，２１が設けられている。取り付け板２５は、補強板２０，２１に支持されている。
【００４３】
基板組み立て品９を構成する回路基板８は、スペーサ４０，４１などを介して取り付け板２５により、支持（固定）されている（図４参照）。
【００４４】
シールド板４２は例えば、電磁波をシールドする板材からなり、略箱状に形成されている。この様に、シールド板４２は、基板組み立て品９を覆う様に、回路基板８に、又は、取り付け板２５に取り付けられている。
【００４５】
ハードディスクドライバ１７は例えば、外側に、金属板からなるケーシングが形成されている。上記ケーシングには、３個のフランジが形成され、各フランジには孔が形成されている（図３参照）。
【００４６】
ハードディスクドライバ１７は、シールド板４２の指定された位置に載置される。そして、３個のボルトは、ハードディスクドライバ１７に形成された各孔を貫通し、シールド板４２に形成された孔に固定されている（図３参照）。
【００４７】
ハードディスクドライバ１７を取外すときは、カバー３９を固定している２個のボルトを外し、カバー３９を外す。そして、ハードディスクドライバ１７を固定している３個のボルトを外し、ハードディスクドライバ１７を取り外す事ができる。
【００４８】
この様に、表示装置１では、後板３３を全部外さないで、カバー３９を外すことにより、ハードディスクドライバ１７を取外すことができる。すなわち、ハードディスクドライバ１７は、本体３４に形成された第１開口部３５を介して、着脱自在に設けられている。
【００４９】
シールド板４２において、ハードディスクドライバ１７の下方に位置する部分において、第２開口部４３が形成されている（図２参照）。メモリ１８は、この第２開口部４３の下方に位置する様に、回路基板８上に固定されている。
【００５０】
メモリ１８を取外したい場合は、最初に、カバー３９を外し、ハードディスクドライバ１７を外す。次に、回路基板８から、メモリ１８を取外すことができる。また、メモリ１８を取り付けたい場合は、最初に、回路基板８上にメモリ１８を取り付ける。次に、シールド板４２上に、ハードディスクドライバ１７を取り付け、本体３４上にカバー３９を取り付ければ良い。
【００５１】
この様に、シールド板４２の第２開口部４３の下方に位置する様に、回路基板８上にメモリ１８を固定することにより、メモリ１８は着脱自在に設けられている。
【００５２】
【発明の効果】
請求項１の本発明では、後面側に第１開口部が形成された略箱状の本体と、前記本体の前面側に配置された液晶表示部と、前記本体内に配置され、前記液晶表示部に画像信号を出力する基板組み立て品と、前記基板組み立て品を覆うシールド板と前記シールド板に固定され、データを読み書きするハードディスクドライバとを備え、前記ハードディスクドライバは前記第１開口部を介して、着脱自在に設けられた。この様に、本体内にハードディスクドライバを設ける事により、大量のデータを読み書きすることができ、大量の画像情報を例えば、インターネットを介して取り込むことができ、大量の画像情報を表示できる。また、ハードディスクドライバを取外す場合には、本体に形成された部分的な小窓（第１開口部）を介して行えば良く、着脱作業が容易である。更に、ハードディスクドライバはシールド板上に固定されるので、新たに取り付け台を設ける必要がなく、コストが安くて済む。
【００５３】
請求項２の本発明では、前記第１開口部を覆うカバーを設け、前記カバーは前記本体に対し、着脱自在に設けられた。この様に、カバーを設ける事により、部分的な小窓（第１開口部）を介して作業すれば良く、ハードディスクドライバの着脱作業は更に容易となる。
【００５４】
請求項３の本発明では、前記本体の相対する内面に当接する補強板を設け、前記補強板に支持された取り付け板を設け、前記基板組み立て品を構成する回路基板は、前記取り付け板により支持された。上記構成により、補強板は本体の強度を向上させると共に、取り付け板を介して回路基板を支持するので、回路基板は確実に固定される。その結果、回路基板上の電気部品はガタつくことなく、品質の信頼性が向上する。
【００５５】
請求項４の本発明では、前記ハードディスクドライバの下方に位置する様に、前記シールド板に第２開口部を設け、前記第２開口部の下方に位置する様に、前記回路基板にメモリを固定し、前記メモリは着脱自在に設けられた。上記構成により、メモリの着脱作業が容易となる。また、メモリを回路基板上に固定し、シールド板に形成された第２開口部は、ハードディスクドライバにて塞がれるのでシールド性を維持できる。
【図面の簡単な説明】
【図１】本発明の実施の形態に係る表示装置１の電気ブロック図である。
【図２】表示装置１の分解斜視図である。
【図３】後板３３を外した時の、表示装置１の斜視図である。
【図４】図２のＡ１−Ａ２断面図である。
【符号の説明】
９  基板組み立て品
１２  液晶表示部
１７  ハードディスクドライバ
３４  本体
３５  第１開口部
４２  シールド板
【図１】
2004326013.tif 000003
【図２】
2004326013.tif 000004
【図３】
2004326013.tif 000005
【図４】
2004326013.tif 000006